(57)【要約】【課題】  聴取位置における音場補正の計測から完了までの時間を短縮することができるオーディオ信号増幅装置を提供する【解決手段】  第１及び第２の信号を出力する音声信号処理部と、第１及び第２の信号を増幅し複数のチャンネルのスピーカに出力する増幅部と、スピーカから放音された第１及び第２の信号を入力するマイクと、第１の信号が入力されるまでの時間を計測し、また、第２の信号の周波数特性を分析する入力音声信号分析部と、出力する複数のチャンネルの音声信号の遅延時間及び周波数特性をそれぞれのチャンネル毎に設定する入出力制御部と、動作制御部とを備え、動作制御部は、複数のチャンネルからそれぞれ異なる周波数特性の第１の信号が同時に出力されるように制御し、また、複数のチャンネルから同一周波数の第２の信号がそれぞれ一定の時間差で出力されるように制御する。【選択図】      図１
2011164166.tif 000002
【特許請求の範囲】
【請求項１】
入力した音声信号を増幅し複数のチャンネルの音声信号を出力するオーディオ信号増幅装置において、
第１の信号及び第２の信号を出力する音声信号処理部と、
前記音声信号処理部から出力された第１の信号及び第２の信号を増幅し前記複数のチャンネルのスピーカに出力する複数の増幅部と、
前記スピーカから放音された前記第１の信号及び前記第２の信号を入力するマイクと、
前記音声信号処理部から出力された前記第１の信号が前記スピーカ及び前記マイクを経由して入力されるまでの時間を計測し、また、前記音声信号処理部から出力され前記スピーカ及び前記マイクを経由して入力された前記第２の信号の周波数特性を分析する入力音声信号分析部と、
前記入力音声信号分析部の前記計測の結果に基づいて出力する複数のチャンネルの音声信号の遅延時間をそれぞれのチャンネル毎に設定し、前記入力音声信号分析部の前記分析の結果に基づいて出力する複数のチャンネルの音声信号の周波数特性をそれぞれのチャンネル毎に設定する入出力制御部と、
前記複数のチャンネルの内から前記音声信号処理部が出力した前記第１の信号及び前記第２の信号を出力するチャンネルを設定するよう制御する動作制御部とを備え、
前記動作制御部は、複数のチャンネルからそれぞれ異なる周波数特性の第１の信号が同時に出力されるように前記音声信号処理部を制御し、また、複数のチャンネルからそれぞれ同一周波数の第２の信号が一定の時間差で出力されるように前記音声信号処理部を制御することを特徴とするオーディオ信号増幅装置。
【請求項２】
請求項１記載のオーディオ信号増幅装置において、
前記第１の信号はインパルス信号であることを特徴とするオーディオ信号増幅装置。
【請求項３】
請求項１または２記載のオーディオ信号増幅装置において、
前記第２の信号はスイープ信号であることを特徴とするオーディオ信号増幅装置。
【発明の詳細な説明】
【技術分野】
【０００１】
本発明は、入力した音声信号を増幅し複数のチャンネルの音声信号を出力するオーディオ信号増幅装置に関する。
【背景技術】
【０００２】
近年、家庭で設置するオーディオシステムとして、ホームシアターと称し映画館を模したマルチチャンネルオーディオシステムを構築することが増えている。従来のオーディオ信号増幅装置においては、このように構築されたマルチチャンネルオーディオシステムを最適なリスニング環境で使用出来るように、聴取位置における音場補正を行う機能を有するオーディオ信号増幅装置が知られている（例えば、特許文献１参照）。
【０００３】
このような、聴取位置における音場補正を行う機能を有するオーディオ信号増幅装置によれば、聴取位置にマイクを設置し、複数のスピーカから出力されるテスト用信号を当該マイクによって検出することによって、複数のスピーカのそれぞれの音場特性を補正し、これにより、聴取位置における音場特性を最適なものにすることができる。
【先行技術文献】
【特許文献】
【０００４】
【特許文献１】実開平６-１３２９２号公報
【発明の概要】
【発明が解決しようとする課題】
【０００５】
従来のマイクによる音場補正機能を有するオーディオ信号増幅装置の音場補正機能では、音場補正を行う対象となるスピーカの数に相当する分だけ、個別で音圧レベルの周波数特性の計測・分析を行う必要がある。例えば、５．１ｃｈマルチチャンネルの音声信号を増幅するオーディオ信号増幅装置では、サブウーハ用スピーカを除く５つのスピーカから、それぞれテスト用信号を音波として放音し、放音された音波をマイクによって入力し、分析する。そして、それぞれのスピーカについての分析結果に基づいて、音場補正を行う。このため、従来のオーディオ信号増幅装置により音場特性の計測・分析を完了するまでには、接続されているスピーカの数に比例して音場補正のための時間が必要となり、この音場補正のための時間が非常に煩わしいものとなる。
【０００６】
本発明は、入力した音声信号を増幅し複数のチャンネルの音声信号を出力するオーディオ信号増幅装置において、聴取位置における音場補正の計測から完了までの時間を短縮することができるオーディオ信号増幅装置を提供することを目的とする。
【課題を解決するための手段】
【０００７】
本願の請求項１記載の発明は、入力した音声信号を増幅し複数のチャンネルの音声信号を出力するオーディオ信号増幅装置において、第１の信号及び第２の信号を出力する音声信号処理部と、前記音声信号処理部から出力された第１の信号及び第２の信号を増幅し前記複数のチャンネルのスピーカに出力する複数の増幅部と、前記スピーカから放音された前記第１の信号及び前記第２の信号を入力するマイクと、前記音声信号処理部から出力された前記第１の信号が前記スピーカ及び前記マイクを経由して入力されるまでの時間を計測し、また、前記音声信号処理部から出力され前記スピーカ及び前記マイクを経由して入力された前記第２の信号の周波数特性を分析する入力音声信号分析部と、前記入力音声信号分析部の前記計測の結果に基づいて出力する複数のチャンネルの音声信号の遅延時間をそれぞれのチャンネル毎に設定し、前記入力音声信号分析部の前記分析の結果に基づいて出力する複数のチャンネルの音声信号の周波数特性をそれぞれのチャンネル毎に設定する入出力制御部と、前記複数のチャンネルの内から前記音声信号処理部が出力した前記第１の信号及び前記第２の信号を出力するチャンネルを設定するよう制御する動作制御部とを備え、前記動作制御部は、複数のチャンネルからそれぞれ異なる周波数特性の第１の信号が同時に出力されるように前記音声信号処理部を制御し、また、複数のチャンネルからそれぞれ同一周波数の第２の信号が一定の時間差で出力されるように前記音声信号処理部を制御することを特徴とする。
【０００８】
本願の請求項２記載の発明は、請求項１記載のオーディオ信号増幅装置において、前記第１の信号はインパルス信号であることを特徴とする。
【０００９】
本願の請求項３記載の発明は、請求項１または２記載のオーディオ信号増幅装置において、前記第２の信号はスイープ信号であることを特徴とする。
【発明の効果】
【００１０】
本発明によれば、入力した音声信号を増幅し複数のチャンネルの音声信号を出力するオーディオ信号増幅装置において、聴取位置における音場補正の計測から完了までの時間を短縮することができるオーディオ信号増幅装置を提供することができる。
【図面の簡単な説明】
【００１１】
【図１】本発明の一実施例のオーディオ信号増幅装置を示すブロック図。
【図２】本実施例のオーディオ信号増幅装置における音場補正の動作を示すフローチャート図。
【発明を実施するための形態】
【００１２】
本発明の実施の形態を図面を参照して説明する。
【００１３】
図１は、本発明の一実施例のオーディオ信号増幅装置を示すブロック図である。
本実施例のオーディオ信号増幅装置１００は、ＤＳＰ(Digital Signal Processor)１、ＤＡＣ(Digital Analog Converter)２、増幅部３、マイク５、ＡＤＣ(Analog Digital Converter)６、ボタン入力部７、表示部８、動作制御部９及び音声信号入力部１０を備える。本実施例のオーディオ信号増幅装置１００においては、ＤＡＣ２及び増幅部３をそれぞれ５つ備えるものとする。５つの増幅部３は、それぞれＣｃｈ用スピーカ４０１、ＦＬｃｈ用スピーカ４０２、ＦＲｃｈ用スピーカ４０３、ＳＬｃｈ用スピーカ４０４及びＳＲｃｈ用スピーカ４０５からなるスピーカ４に接続されている。
【００１４】
音声信号入力部１０は、ＣＤ（Compact Disc）プレーヤやＤＶＤ（Digital Versatile Disc)プレーヤ等の光ディスク再生装置から入力されたデジタル音声信号を入力する。
ＤＳＰ１は、マルチチャンネルオーディオシステムにおける音場再生での演算処理を行う。ＤＳＰ１は、音声信号処理部１０１、入出力制御部１０２及び入力音声信号分析部１０３を備える。音声信号処理部１０１は、音声信号入力部１０に入力されたデジタル音声信号から複数のチャンネルのデジタル音声信号を生成する。本実施例においては、音声信号入力部１０に入力されたデジタル音声信号からセンターチャンネル（Ｃｃｈ）、フロント左チャンネル（ＦＬｃｈ）、フロント右チャンネル（ＦＲｃｈ）、サラウンド左チャンネル（ＳＬｃｈ）及びサラウンド右チャンネル（ＳＲｃｈ）の５つのチャンネルのデジタル音声信号を生成するものとして説明する。また、音声信号処理部１０１は、音場補正機能を備え、入出力制御部１０２の制御に基づいて、各チャンネルのデジタル音声信号をそれぞれ遅延して出力し、また、出力するデジタル音声信号の周波数特性を補正する出力補正フィルタの機能を備える。
【００１５】
５つのＤＡＣ２は、音声信号入力部１０により生成された５チャンネルのデジタル音声信号をそれぞれアナログ音声信号に変換する。５つの増幅部３は、ＤＡＣ２により変換された５チャンネルのアナログ音声信号をそれぞれ増幅する。Ｃｃｈ用スピーカ４０１、ＦＬｃｈ用スピーカ４０２、ＦＲｃｈ用スピーカ４０３、ＳＬｃｈ用スピーカ４０４及びＳＲｃｈ用スピーカ４０５は、それぞれ増幅部３により増幅されたアナログ音声信号を音波として放音する。
【００１６】
マイク５は、音場設定を行う場合、オーディオ信号を聴取する聴取位置に設置され、それぞれのスピーカ４から放音されたテスト用信号の音波をアナログ音声信号として入力する。ＡＤＣ６は、スピーカ４が入力したアナログ音声信号をデジタル音声信号に変換する。入力音声信号分析部１０３は、ＡＤＣ６が変換したデジタル音声信号に基づいて、それぞれのスピーカ４から放音された音波がマイク５及びＡＤＣ６を介して入力音声信号分析部１０３に入力されるまでの時間の計測及びマイク５及びＡＤＣ６を介して入力された音波の周波数特性を分析する。
【００１７】
入出力制御部１０２は、入力音声信号分析部１０３による分析結果に基づいて、音声信号処理部１０１が出力する各チャンネルのデジタル音声信号の遅延時間の設定及び出力するデジタル音声信号の周波数特性の設定を行う出力補正フィルタの機能の制御を行う。
【００１８】
ボタン入力部７は、オーディオ信号増幅装置１００の再生、停止及び増幅部３による音声信号の増幅量の変化等の各種の操作指示を受付ける。また、ボタン入力部７は、オーディオ信号増幅装置１００における音場補正の開始を受付ける。動作制御部９は、マイクロコンピュータから成り、ボタン入力部７が受付けた操作指示に基づいて、ＤＳＰ１、ＤＡＣ２及び増幅部３を制御する。表示部８は、ボタン入力部７による操作指示内容及び動作制御部９の制御状態を表示する。
【００１９】
本実施例におけるオーディオ信号増幅装置１００については、マルチチャンネルオーディオシステムにおける音場再生でのＤＳＰ１による演算処理や、ＤＳＰ１で生成されたデジタル音声信号をＤＡＣ２及び増幅部３を介してスピーカ４へ出力する再生手段については、従来のオーディオ信号増幅装置と同様の構成であるため、これらの再生手段の説明は省略し、聴取位置における音場補正の手段についてのみ説明するものとする。
【００２０】
図２は、実施例のオーディオ信号増幅装置における音場補正の動作を示すフローチャート図である。
聴取位置における音場補正を行う場合、先ず、マイク５を聴取位置に設置し、次に、ボタン入力部７により、各スピーカ４が放音する音波についての計測・分析の開始を指示する（ステップＳ１）。動作制御部９は、ボタン入力部７からの指示に基づいて、各スピーカ４が放音する音波についての計測・分析を開始する（ステップＳ２）。ＤＳＰ１は、音場補正のための計測・分析対象とするチャンネルをＦｒｏｎｔ、つまり、ＦＬｃｈ用スピーカ４０２及びＦＲｃｈ用スピーカ４０３に設定する（ステップＳ３）（ステップＳ４）。
【００２１】
音声信号処理部１０１は、インパルス信号を生成する。インパルス信号は、各スピーカ４から放音された音波がマイク５を経由して入力音声信号分析部１０３に入力される迄の時間を計測するためのテスト用信号である。
【００２２】
ステップＳ４において、音場補正のための計測・分析対象とするスピーカ４はＦＬｃｈ用スピーカ４０２及びＦＲｃｈ用スピーカ４０３の２つのスピーカであり、単一のマイク５のみで２つのスピーカから放音される音波を同時に計測する必要があるため、音声信号処理部１０１により生成するインパルス信号は、ＦＬｃｈ用スピーカ４０２とＦＲｃｈ用スピーカ４０３から異なる周波数特性、例えば、Ｌｃｈ用インパルス信号を５０Ｈｚ〜１００Ｈｚの周波数特性の信号とし、Ｒｃｈ用インパルス信号を１ＫＨｚ〜１０ＫＨｚの周波数特性の信号としたインパルス信号が出力されるようにＬｃｈ用インパルス信号とＲｃｈ用インパルス信号の２種類のインパルス信号を生成する（ステップＳ５）。
【００２３】
音声信号処理部１０１は、生成したＬｃｈ用インパルス信号とＲｃｈ用インパルス信号を出力する。動作制御部９は、音声信号処理部１０１から出力されたＬｃｈ用インパルス信号がＦＬｃｈ用スピーカ４０２から放音されるよう制御し、また、音声信号処理部１０１から出力されたＲｃｈ用インパルス信号がＦＲｃｈ用スピーカ４０３から放音されるよう制御する（ステップＳ６）。マイク５は、ＦＬｃｈ用スピーカ４０２及びＦＲｃｈ用スピーカ４０３からそれぞれ放音されたＬｃｈ用インパルス信号とＲｃｈ用インパルス信号を入力し、ＡＤＣ６を介して入力音声信号分析部１０３に入力する。入力音声信号分析部１０３は、入力されたＬｃｈ用インパルス信号とＲｃｈ用インパルス信号をそれぞれの周波数特性の違いにより抽出することによってそれぞれの信号を判別する。例えば、前述したようにＬｃｈ用インパルス信号を５０Ｈｚ〜１００Ｈｚの周波数特性の信号とし、Ｒｃｈ用インパルス信号を１ＫＨｚ〜１０ＫＨｚの周波数特性の信号としたインパルス信号が出力された場合、５０Ｈｚ〜１００Ｈｚの音声信号のみを抽出するフィルタによってＬｃｈ用インパルス信号を判別し、また、１ＫＨｚ〜１０ＫＨｚの音声信号のみを抽出するフィルタによってＲｃｈ用インパルス信号を判別する。入力音声信号分析部１０３は、Ｌｃｈ用インパルス信号とＲｃｈ用インパルス信号の判別結果に基づいて、音声信号処理部１０１から出力されＦＬｃｈ用スピーカ４０２及びＦＲｃｈ用スピーカ４０３からそれぞれ放音されたＬｃｈ用インパルス信号及びＲｃｈ用インパルス信号がマイク５及びＡＤＣ６を経由して入力音声信号分析部１０３に入力される迄の時間を計測し、結果を記憶する（ステップＳ７）。
【００２４】
次に、音声信号処理部１０１は、スイープ信号を生成する。スイープ信号は、各スピーカ４から放音された音波がマイク５を経由して入力音声信号分析部１０３に入力されたときの、音声信号の周波数特性を分析するためのテスト用信号である。
【００２５】
ここで、音場補正のための計測・分析対象とするスピーカ４はＦＬｃｈ用スピーカ４０２及びＦＲｃｈ用スピーカ４０３の２つのスピーカであり、単一のマイク５のみで２つのスピーカから放音される音波を同時に計測する必要があるため、音声信号処理部１０１により生成するスイープ信号は、ＦＬｃｈ用スピーカ４０２とＦＲｃｈ用スピーカ４０３とで同一周波数の出力タイミングが一定の時間差で出力されるようにＬｃｈ用スイープ信号とＲｃｈ用スイープ信号の２種類のスイープ信号を生成する（ステップＳ８）。
【００２６】
音声信号処理部１０１は、生成したＬｃｈ用スイープ信号とＲｃｈ用スイープ信号を出力する。動作制御部９は、音声信号処理部１０１から出力されたＬｃｈ用スイープ信号がＦＬｃｈ用スピーカ４０２から放音されるよう制御し、また、音声信号処理部１０１から出力されたＲｃｈ用スイープ信号がＦＲｃｈ用スピーカ４０３から放音されるよう制御する（ステップＳ９）。マイク５は、ＦＬｃｈ用スピーカ４０２及びＦＲｃｈ用スピーカ４０３からそれぞれ放音されたＬｃｈ用スイープ信号とＲｃｈ用スイープ信号を入力し、ＡＤＣ６を介して入力音声信号分析部１０３に入力する。入力音声信号分析部１０３は、ＦＬｃｈ用スピーカ４０２及びＦＲｃｈ用スピーカ４０３からそれぞれ放音されたＬｃｈ用スイープ信号とＲｃｈ用スイープ信号の周波数特性を分析し、結果を記憶する（ステップＳ１０）。
【００２７】
次に、ＤＳＰ１は、音場補正のための計測・分析対象とするチャンネルをＣｅｎｔｅｒ、つまり、Ｃｃｈ用スピーカ４０１に設定する（ステップＳ１１）（ステップＳ１２）。
【００２８】
ステップＳ１２において、音場補正のための計測・分析対象とするスピーカ４はＣｃｈ用スピーカ４０１の１つのスピーカであり、単一のマイク５で１つのスピーカから放音される音波を計測するため、音声信号処理部１０１により生成するインパルス信号は、前述したＬｃｈ用インパルス信号の１種類のインパルス信号を生成する（ステップＳ１３）。
【００２９】
音声信号処理部１０１は、生成したＬｃｈ用インパルス信号を出力する。動作制御部９は、音声信号処理部１０１から出力されたＬｃｈ用インパルス信号がＣｃｈ用スピーカ４０１から放音されるよう制御する（ステップＳ１４）。マイク５は、Ｃｃｈ用スピーカ４０１から放音されたＬｃｈ用インパルス信号を入力し、ＡＤＣ６を介して入力音声信号分析部１０３に入力する。入力音声信号分析部１０３は、音声信号処理部１０１から出力されＣｃｈ用スピーカ４０１から放音されたＬｃｈ用インパルス信号がマイク５及びＡＤＣ６を経由して入力音声信号分析部１０３に入力される迄の時間を計測し、結果を記憶する（ステップＳ１５）。
【００３０】
次に、音声信号処理部１０１は、前述したように、各スピーカ４から放音された音波がマイク５及びＡＤＣ６を経由して入力音声信号分析部１０３に入力されたときの、音声信号の周波数特性を分析するためのスイープ信号を生成する。
【００３１】
ここで、音場補正のための計測・分析対象とするスピーカ４はＣｃｈ用スピーカ４０１の１つのスピーカであり、単一のマイク５で１つのスピーカから放音される音波を計測するため、音声信号処理部１０１により生成するスイープ信号は、Ｌｃｈ用スイープ信号の１種類のスイープ信号を生成する（ステップＳ１６）。
【００３２】
音声信号処理部１０１は、生成したＬｃｈ用スイープ信号を出力する。動作制御部９は、音声信号処理部１０１から出力されたＬｃｈ用スイープ信号がＣｃｈ用スピーカ４０１から放音されるよう制御する（ステップＳ１７）。マイク５は、Ｃｃｈ用スピーカ４０１から放音されたＬｃｈ用スイープ信号を入力し、ＡＤＣ６を介して入力音声信号分析部１０３に入力する。入力音声信号分析部１０３は、Ｃｃｈ用スピーカ４０１から放音されたＬｃｈ用スイープ信号の周波数特性を分析し、結果を記憶する（ステップＳ１８）。
【００３３】
次に、ＤＳＰ１は、音場補正のための計測・分析対象とするチャンネルをＳｕｒｒｏｕｎｄ、つまり、ＳＬｃｈ用スピーカ４０４及びＳＲｃｈ用スピーカ４０５に設定する（ステップＳ１９）（ステップＳ２０）。
【００３４】
次に、音声信号処理部１０１は、ステップＳ５で説明したのと同様に、Ｌｃｈ用インパルス信号とＲｃｈ用インパルス信号を生成する（ステップＳ２１）。
【００３５】
音声信号処理部１０１は、生成したＬｃｈ用インパルス信号とＲｃｈ用インパルス信号を出力する。動作制御部９は、音声信号処理部１０１から出力されたＬｃｈ用インパルス信号がＳＬｃｈ用スピーカ４０４から放音されるよう制御し、また、音声信号処理部１０１から出力されたＲｃｈ用インパルス信号がＳＲｃｈ用スピーカ４０５から放音されるよう制御する（ステップＳ２２）。マイク５は、ＳＬｃｈ用スピーカ４０４及びＳＲｃｈ用スピーカ４０５からそれぞれ放音されたＬｃｈ用インパルス信号とＲｃｈ用インパルス信号を入力し、ＡＤＣ６を介して入力音声信号分析部１０３に入力する。入力音声信号分析部１０３は、音声信号処理部１０１から出力されＳＬｃｈ用スピーカ４０４及びＳＲｃｈ用スピーカ４０５からそれぞれ放音されたＬｃｈ用インパルス信号及びＲｃｈ用インパルス信号がマイク５を経由してＤＳＰ１に入力される迄の時間を計測し、結果を記憶する（ステップＳ２３）。
【００３６】
次に、音声信号処理部１０１は、ステップＳ８で説明したのと同様に、Ｌｃｈ用スイープ信号とＲｃｈ用スイープ信号を生成する（ステップＳ２４）。
【００３７】
音声信号処理部１０１は、生成したＬｃｈ用スイープ信号とＲｃｈ用スイープ信号を出力する。動作制御部９は、音声信号処理部１０１から出力されたＬｃｈ用スイープ信号がＳＬｃｈ用スピーカ４０４から放音されるよう制御し、また、音声信号処理部１０１から出力されたＲｃｈ用スイープ信号がＳＲｃｈ用スピーカ４０５から放音されるよう制御する（ステップＳ２５）。マイク５は、ＳＬｃｈ用スピーカ４０４及びＳＲｃｈ用スピーカ４０５からそれぞれ放音されたＬｃｈ用スイープ信号とＲｃｈ用スイープ信号を入力し、ＡＤＣ６を介して入力音声信号分析部１０３に入力する。入力音声信号分析部１０３は、ＳＬｃｈ用スピーカ４０４及びＳＲｃｈ用スピーカ４０５からそれぞれ放音されたＬｃｈ用スイープ信号とＲｃｈ用スイープ信号の周波数特性を分析し、結果を記憶する（ステップＳ２６）。
【００３８】
入出力制御部１０２は、ステップＳ７、Ｓ１５及びＳ２３において入力音声信号分析部１０３が記憶した各スピーカ４の計測結果に基づいて、各スピーカ４から放音される音波がマイク５の設置位置においてそれぞれ適正な音波到達時間となるよう、音声信号処理部１０１から出力する各チャンネルの音声信号の遅延時間を設定する（ステップＳ２７）。
【００３９】
次に、入出力制御部１０２は、ステップＳ１０、Ｓ１８及びＳ２６において入力音声信号分析部１０３が記憶した各スピーカ４の分析結果に基づいて、各スピーカ４から放音される音波がマイク５の設置位置においてそれぞれ適正な周波数特性となるよう、音声信号処理部１０１から出力する各チャンネルの音声信号の周波数特性を設定する（ステップＳ２８）。
【００４０】
以上により、オーディオ信号増幅装置１００は、マイク５を設置した位置、つまり、聴取位置において、構築されたマルチチャンネルオーディオシステムを最適なリスニング環境で使用出来るように、聴取位置における各チャンネルの音場補正を行うことができる。このとき、ＦＬｃｈ用スピーカ４０２とＦＲｃｈ用スピーカ４０３からそれぞれ放音された音波がマイク５及びＡＤＣ６を経由して入力音声信号分析部１０３に入力される迄の時間を計測するためのインパルス信号を同時に出力して計測を行い、また、ＳＬｃｈ用スピーカ４０４とＳＲｃｈ用スピーカ４０５からそれぞれ放音された音波がマイク５及びＡＤＣ６を経由して入力音声信号分析部１０３に入力される迄の時間を計測するためのインパルス信号を同時に出力して計測を行い、また、ＦＬｃｈ用スピーカ４０２とＦＲｃｈ用スピーカ４０３からそれぞれ放音された音波がマイク５及びＡＤＣ６を経由して入力音声信号分析部１０３に入力される音声信号の周波数特性を分析するためのスイープ信号を同時に分析し、更に、ＳＬｃｈ用スピーカ４０４とＳＲｃｈ用スピーカ４０５からそれぞれ放音された音波がマイク５及びＡＤＣ６を経由して入力音声信号分析部１０３に入力される音声信号の周波数特性を分析するためのスイープ信号を同時に分析するため、聴取位置における各チャンネル全ての音場補正の計測から完了までの時間を短縮することができる。
【００４１】
本実施例のオーディオ信号増幅装置１００は、ＦＬｃｈ用スピーカ４０２とＦＲｃｈ用スピーカ４０３の測定及び分析を同時に行う場合またはＳＬｃｈ用スピーカ４０４とＳＲｃｈ用スピーカ４０５の測定及び分析を同時に行う場合、Ｌｃｈ用インパルス信号とＲｃｈ用インパルス信号の２種類のインパルス信号及びＬｃｈ用スイープ信号とＲｃｈ用スイープ信号の一定の時間差で出力される２種類のスイープ信号を同時に出力する構成としたが、周波数特性の異なる３種以上のインパルス信号及び一定の時間差で出力される３種類以上のスイープ信号によって３種類以上のスピーカの測定及び分析を同時に行うようにしても良い。このことにより、聴取位置における各チャンネル全ての音場補正の計測から完了までの時間を更に短縮することができる。
【産業上の利用可能性】
【００４２】
本発明は、入力した音声信号を増幅し複数のチャンネルの音声信号を出力するオーディオ信号増幅装置において、複数のスピーカから出力される音波の音場補正に有用に用いることができる。
【符号の説明】
【００４３】
１  ＤＳＰ、１０１  音声信号処理部、１０２  入出力制御部、
１０３  入力音声信号分析部、１０  音声信号入力部、
２  ＤＡＣ、３  増幅部、
４  スピーカ、４０１  Ｃｃｈ用スピーカ、４０２  ＦＬｃｈ用スピーカ、
４０３  ＦＲｃｈ用スピーカ、４０４  ＳＬｃｈ用スピーカ、
４０５  ＳＲｃｈ用スピーカ、５  マイク、６  ＡＤＣ、７  ボタン入力部、
８  表示部、９  動作制御部、１０  音声信号入力部、
１００  オーディオ信号増幅装置
【図１】
2011164166.tif 000003
【図２】
2011164166.tif 000004